(57)【要約】  本発明は、ローラブラインドハウジング（１）と、留め手段（３）を有するローラブラインド生地（２）と、取付形材（４）とを備える、旋回可能な開き戸のための指挟み防止器具に関する。指挟み防止器具は、ハウジング（１）によってドア枠（Ｒ）に固定され、取付形材（４）によってドア本体（Ｆ）に固定される。ローラブラインド生地（２）の留め手段（３）は、取付形材（４）に取り外し可能に接続されるように構成されており、指挟み防止器具を用いるときには、ローラブラインド生地（２）は、ドア本体（Ｆ）とドア枠（Ｒ）との間隙を覆う。取付形材（４）は、取付形材（４）を支持してドア本体（Ｆ）に固定する支持脚（４０）を備える。取付形材（４）は、有角形材の形態を有しており、ローラブラインド生地（２）の留め手段（３）の取り外し可能な接続のための、支持脚（４０）から突出する留め脚（４２，４３）を有する。【選択図】      図４
2019532202.tif 000002
【特許請求の範囲】
【請求項１】
旋回可能な開き戸のための指挟み防止器具であって、
前記指挟み防止器具は、ローラブラインドハウジング（１）と、留め手段（３）を有するローラブラインド生地（２）と、取付形材（４）とを備え、
前記指挟み防止器具は、ハウジング（１）によってドア枠（Ｒ）に固定され、取付形材（４）によってドア本体（Ｆ）に固定されるように構成されており、
前記ローラブラインド生地（２）の留め手段（３）は、取付形材（４）に取り外し可能に接続されるように構成されており、
前記指挟み防止器具を目的通りに用いるときには、前記ローラブラインド生地（２）は、ドア本体（Ｆ）とドア枠（Ｒ）との間隙を覆い、
取付形材（４）は、前記取付形材（４）を支持して前記取付形材（４）を前記ドア本体（Ｆ）に固定する支持脚（４０）を備える、
指挟み防止器具であって、
前記取付形材（４）は、有角形材の形態を有しており、ローラブラインド生地（２）の前記留め手段（３）の取り外し可能な接続のための、前記支持脚（４０）から突出する留め脚（４２，４３）を有することを特徴とする指挟み防止器具。
【請求項２】
前記留め手段（３）は、前記ローラブラインド生地（２）をドア枠（Ｒ）とドア本体（Ｆ）との間に固定するために、前記留め脚（４２、４３）に掛けられるように構成されている、請求項１に記載の指挟み防止器具。
【請求項３】
前記留め手段（３）は掛けフックを有し、前記取付形材（４）はフック受け部（４３）を有する、請求項２に記載の指挟み防止器具。
【請求項４】
前記留め手段（３）は、第１の脚部と、第２の脚部と、前記第１の脚部及び前記第２の脚部を接続するウェブとを含む略Ｕ字形の断面を有し、前記第１の脚部は掛かりのために機能し、前記第２の脚部は前記第１の脚部に対して延在して外向きの溝（３１）を有し、エンドストリップ（２０）は、前記溝に導入されるように構成されている、請求項１乃至３のうち何れか１項に記載の指挟み防止器具。
【請求項５】
前記留め脚（４２）は、前記支持脚（４０）に対して少なくとも略垂直に延びている、請求項１乃至４のうち何れか１項に記載の指挟み防止器具。
【請求項６】
前記取付形材（４）は、前記支持脚（４０）と前記留め脚（４２）とを接続する接続脚（４１）を有する、請求項１乃至５のうち何れか１項に記載の指挟み防止器具。
【請求項７】
前記接続脚（４１）は、前記支持脚（４０）及び前記留め脚（４２）の各々に対して９０°を超える角度で配置されている、請求項６に記載の指挟み防止器具。
【請求項８】
前記接続脚（４１）と前記支持脚（４０）との間の角度が約１３５°であり、前記接続脚（４１）と前記留め脚（４２）との間の角度が約１３５°である、請求項７に記載の指挟み防止器具。
【請求項９】
前記留め脚（４２）は、その自由端に向かって先細りになり、フック受け部（４３）を形成する、請求項１乃至８のうち何れか１項に記載の指挟み防止器具。
【請求項１０】
前記フック受け部（４３）は、直線的であり、前記留め脚（４２）のより薄い延長部を形成する、請求項９に記載の指挟み防止器具。
【請求項１１】
前記フック受け部（４３）の前記自由端は、前記支持脚（４０）から離れる方向への突起（４３０）を有する、請求項９又は１０に記載の指挟み防止器具。
【請求項１２】
前記留め脚（４２）の厚い部分は前記留め手段（３）のための第１の当たり面（４２０）を形成し、前記フック受け部（４３）は前記留め手段（３）のための第２の当たり面（４３２）を形成する、請求項９乃至１１のうち何れか１項に記載の指挟み防止器具。
【請求項１３】
前記留め手段（３）は、前記フック受け部（４３）を取り囲むように構成されている、請求項９乃至１２のうち何れか１項に記載の指挟み防止器具。
【請求項１４】
前記支持脚は、前記ドア本体（Ｆ）に固定されたハンドルバー（Ｈ）を受けるための少なくとも１つの凹部（６）を有する、請求項１乃至１３のうち何れか１項に記載の指挟み防止器具。
【請求項１５】
前記支持脚は、前記ドア本体（Ｆ）に固定されたハンドルバー（Ｈ）を受けるために、凹部（６）が、切り取られるように、フライス加工されるように、又は鋸加工によって作られるように、構成されている、請求項１乃至１３のうち何れか１項に記載の指挟み防止器具。
【請求項１６】
前記取付形材（４）の全長は、前記ドア本体に固定されたハンドルバー（Ｈ）の上側及び下側に前記取付形材（４）が配置されるように、少なくとも２つの部品として形成され、前記ローラブラインド生地（２）は、前記取付形材（４）の全長にわたって１つの部品として延在する、請求項１乃至１３のうち何れか１項に記載の指挟み防止器具。
【請求項１７】
請求項１乃至１６のうち何れか１項に記載の指挟み防止器具の取付形材（４）であって、前記取付形材（４）は、ローラブラインド生地（２）の留め手段（３）を取り外し可能に固定するために、支持脚（４０）と、支持脚（４０）から突出する留め脚（４２、４３）とを備えた有角形材の形態である、取付形材（４）。
【発明の詳細な説明】
【技術分野】
【０００１】
本発明は、旋回可能な開き戸のための指挟み防止器具及びそのための取付形材に関する。
【背景技術】
【０００２】
ドアは、特に小児にとって、事故の危険性を高める。指は、しばしば、旋回可能なドア本体とドア枠との間に挟まる。挟まった指に掛かる力は大きく、したがって、結果として生じる怪我は深刻な場合がある。
【０００３】
そこで、従来技術は、意図しない指挟みの防止を意図した器具を開示している。１つの解決策では、ドア枠と、対向するヒンジ側の旋回可能なドア本体の第２の閉鎖縁部との間隙が、一方がドア枠に固定され他方が旋回可能なドア本体に固定された織物製の保護ローラブラインドによって覆われる。
【０００４】
このような保護ローラブラインドは例えば、英国特許第２１６４６９０号明細書に開示されている。織物製のローラブラインド生地を巻き取るための軸を収容するローラブラインドハウジングには、スロットナットが設けられている。ハウジングを保持するためにスロットナットが差し込まれ得るＶ字形ホルダが、ドア枠に取り付けられる。ローラブラインド生地の自由縁には、ドア本体にねじ止めされた堅いエンドストリップが設けられている。したがって、エンドストリップではなくハウジングだけを容易に取り外すことが可能である。
【０００５】
独国実用新案第２０２００８０１６０９４号明細書では、ネジ止めが外されることによる操作が防止されることが意図されており、取り付けが簡略化されることが意図されている。そこで、この場合、ホルダはドア枠側及びドア本体側の両方に設けられ、前記ホルダはドア枠及びドア本体にねじ止めされる。ローラブラインドのハウジング及びローラブラインドの自由縁は、前記ホルダにラッチされ、締結ねじを覆うことができる留め手段に配置される。この器具は、特別な工具を用いなければ取り外しができないという欠点を有する。さらに、ホルダ又は留め手段は、取り外し中に壊れる危険性がある。さらに、留め手段は、ドア本体及びドア枠にホルダをしっかりと固定するねじを覆うので、ホルダの再調整はもはや不可能である。
【０００６】
独国特許出願公開第３７１６６５４号明細書はローラブラインドを備えた指挟み防止器具を開示しており、ローラブラインドハウジングは、ドア枠にねじ止めされている。ローラブラインドの自由縁は、旋回可能なドア本体にねじ止めされた取付形材の溝内に保持される。したがって、ローラブラインドを取り外しできるようにするには、ねじを取り外し、取付形材全体をドア本体から取り外さなければならない。さらに、この器具は、取付形材が比較的大きなスペースを必要とするという欠点を有する。
【０００７】
これは特に、ドア本体が水平に走るハンドルバーを有する場合には厄介である。そのようなハンドルバーは、例えば、非常口、脱出ドア、又は車椅子で利用可能なドアにおいて、ドアハンドルに加えて又はその代わりに取り付けられる。利用分野及び機能に応じて、前記ハンドルバーは、パニックバー、プッシュバー、又は異なる用語で呼ばれる。通常、ドア本体を開くために、ハンドルバーを押し下げることができ、及び／又はハンドルバーの２つの部分を一緒に押すことができる。ハンドルバーは、通常、ドア幅の広い領域にわたって延在する。それらは、しばしば、ドア本体の全幅にわたって広がる。
【０００８】
さらなる解決策が、この明細書に添付された図２に開示されている。ドア本体Ｆに固定された固定ストリップとも呼ばれる取付形材４´がある。ローラブラインド２の自由端２０は掛けストリップとも呼ばれる掛け形材３に接続されている。掛け形材３は取付形材４´のアンダーカットに引っ掛けることができ、それによって、ローラブラインドを容易に取り外せる方法で旋回可能なドア本体に固定することができる。この器具は例えばドア本体をそのヒンジから外さなければならない場合に、ローラブラインドを容易にかつ特別な工具なしで取り外し、再取付することができるという利点を有する。しかし、ハンドルバーを備えたドアの場合、通常、ハンドルバーから十分な距離がなければならないので、取り付けのためのスペースが不十分であることが多いという欠点がある。
【０００９】
ハンドルバーは既にドアに予め組み立てられており、指挟み防止器具はその後に取り付けられるので、ハンドルバーを有する特定のドアにはさらに上述の他の指挟み防止器具を容易に後付けすることができない。
【発明の概要】
【００１０】
したがって、本発明の目的は、ハンドルバーを備えたドア本体の場合であっても使用することができる、旋回可能な開き戸のための指挟み防止器具及びそのための取付形材を提供することである。
【００１１】
この目的は、請求項１に記載の特徴を有する指挟み防止器具と、請求項１７に記載の特徴を有する取付形材とによって達成される。
【００１２】
旋回可能な開き戸のための本発明による指挟み防止器具は、ローラブラインドハウジングと、留め手段を有するローラブラインド生地と、取付形材とを有する。前記指挟み防止器具は、ハウジングによってドア枠に固定可能であり、取付形材によってドア本体に固定可能である。ローラブラインド生地の留め手段は、取付形材に取り外し可能に接続することができる。その結果、指挟み防止器具が目的通りに使用される場合には、ローラブラインド生地は、ドア本体とドア枠との間隙を覆う。取付形材は、それをドア本体上に支持し、それをドア本体に固定するための支持脚を有する。本発明によれば、取付形材は有角形材の形態を有し、ローラブラインド生地の留め手段を取り外し可能に固定するために、支持脚から突出する留め脚を有する。
【００１３】
突出した留め脚により、指挟み防止器具のドア側の留め手段は、比較的幅が狭く設計され得る。既に取り付けられているハンドルバーの隣が十分なスペースとなる。このことは、ドアにはハンドルバーが取り付けられており、指挟み防止器具は、通常、後から、しばしば数年後に、ドアに取り付けられるので、重要である。
【００１４】
ローラブラインド生地は、様々な方法でドア本体に固定され得る。特に、上述した全ての種類の固定、例えば、ねじ止め又はクリップ止めが使用され得る。しかしながら、ローラブラインド生地をドア枠とドア本体との間に固定するために、好ましくは、留め手段は、留め脚に掛けられ得る。ローラブラインドのばねで付勢された復元力によって、ローラブラインド生地には、張力が掛けられる。この解決策は、図２の実施形態の利点を使用する。すなわち、ローラブラインド生地は、この目的のために特別な工具を使用する必要なしに、また、個々の部品が損傷するおそれなしに、容易に固定可能であり、再取り外し可能である。
【００１５】
好ましくは、留め手段は掛けフックを有し、取付形材はフック受け部を有する。これは、扱いやすい器具である。
【００１６】
好ましい実施形態では、留め手段は、第１の脚部、第２の脚部、及び２つの脚部を接続するウェブを含む、略Ｕ字形の断面を有する。第１の脚部は、掛かりに役立ち、第２の脚部は、第１の脚部に対して伸びている。留め手段は外側に向いた溝を有し、エンドストリップは、前記溝に導入される。このことは、ローラブラインド生地の固定を容易にし、視覚的に魅力的であり、寸法を最小限に抑える。この設計は、図２に見ることができる。
【００１７】
留め脚は、支持脚に対して０°でない任意の角度で延びることができる。しかしながら、好ましくは、それは支持脚に対して少なくともほぼ垂直に延びる。これは、省スペースのための解決策である。
【００１８】
単純な実施形態では、留め脚は支持脚に直接接続されている。
【００１９】
取付形材が、支持脚と留め脚とを互いに接続する接続脚を有する場合、最適な省スペース解決策が提供される。その結果、ハンドルバーとドア本体の縁との間に、たとえあったとしてもごくわずかな空間しか存在しない場合であっても、取付形材を取り付けることができる。このような場合、取付形材は、特にハンドルバーがドア本体の幅全体にわたって延在する場合にも使用することができる。
【００２０】
接続脚は、好ましくは支持脚及び留め脚に対して９０°を超える角度で配置される。空間割合は、特に、連結脚と支持脚との間の角度及び連結脚と留め脚との間の角度がそれぞれ約１３５°である場合に最適に使用される。
【００２１】
取付形材は、好ましくは単一部品として設計され、好ましくは金属、特にアルミニウム、又はプラスチックで構成される。一実施形態では、前記取付形材が、少なくとも長手方向に関して、２つの部材又は複数の部材に分けて形成される。すなわち、前記取付形材は、ドア本体の上側領域からハンドルバーの上側まで1つ目の部材が延在し、ハンドルバーの下側からドア本体の下側領域まで２つ目の部材が延在する。断面について、取付形材は、この実施形態では好ましくは一体に形成され、すなわち、上述の２つの部品は、それぞれ、一体に形成される。
【００２２】
好ましい実施形態では、留め脚がその自由端に向かって先細りになり、フック受け部を形成する。これは、ローラブラインド生地又はその留め手段の掛かりを容易にする。
【００２３】
フック受け部は、好ましくは直線状であるが、留め脚のより薄い延長部を形成する。このことは、単一部品の製造を容易にし、留め脚の対応する設計によって、可能な限り遊びのない掛かりを確実にする。最後に述べた利点の実現のための好ましい特徴は、以下の通りである。
【００２４】
フック受け部の自由端は、好ましくは支持脚から離れる方向に向けられた突起を有する。それに代えて又はそれに加えて、留め手段のために、留め脚のより厚い部分が第１の当たり面を形成し、フック受け部が第２の当たり面を形成する。留め手段は、好ましくはフック受け部を取り囲む。これらの特徴の全ては、個々に、及び互いに組み合わせて、掛け形材の揺れを防止する。
【００２５】
好ましい実施形態では、支持脚が横方向に、その自由端がハンドルバーまで、場合によっては当たり面まで、もたらされ、続いて、ドア本体に固定される。他の実施形態では、支持脚は、ドア本体に固定されたハンドルバーを受けるための少なくとも１つの凹部を有する。また、このような凹部は、取付け工によって、その場で支持脚に形成され得る。この目的のために、好ましくは支持脚の凹部が、例えば予め定められた破断点のように、切り取られ得るように、又はフライス加工又は鋸加工によって作製され得るように、支持脚は構成されている。
【００２６】
さらなる実施形態は、従属請求項において開示される。
【図面の簡単な説明】
【００２７】
【図１】図１は、指挟み防止器具を備えたドアの斜視図を示す。
【図２】図２は、請求項に記載されていない実施形態における、指挟み防止器具を備えたドアの一部を通る断面を示す。
【図３】図３は、本発明の第１の実施形態における指挟み防止器具を備えたドアの一部を通る断面を示す。
【図４】図４は、本発明の第２の実施形態における指挟み防止器具を備えたドアの一部を通る断面を示す。
【図５】図５は、図３の指挟み防止器具の詳細斜視図を示す。
【図６】図６は、図３の指挟み防止器具の取付形材の斜視図を示す。
【図７】図７は、図６の取付形材の断面図を示す。
【図８】図８は、図４の指挟み防止器具の詳細斜視図を示す。
【発明を実施するための形態】
【００２８】
本発明の好ましい実施形態について、図面を参照して以下に説明する。これらは、単に説明のために示すものであって、限定的に解釈されるべきものではない。
【００２９】
図１は指挟み防止器具の基本的な方針を示し、この方針は、本発明による装置の基礎も形成する。図１はドア枠Ｒとドア本体Ｆを備えたドアを示している。この図では、ドアヒンジは見えない。図１に見られるように、指挟み防止器具Ｓはドア本体Ｆのほぼ全高にわたって延び、したがって、ドアが開いているときにドア枠Ｒとドア本体Ｆとの間に生じる隙間を架け渡す。
【００３０】
指挟み防止器具の一実施形態が図２に明確に示されている。前記指挟み防止器具は、実質的にローラブラインドからなる。ローラブラインドハウジング１内には軸２１が配置されている。ローラブラインド生地２は、軸２１に巻き付けられている。ローラブラインド生地２は、好ましくは織物材料から構成される。軸２１にはバネの荷重がかかっており、したがって、ローラブラインド生地２の巻き取られていない部分は、自動的に巻き戻される。
【００３１】
ローラブラインド生地２の自由端は、エンドストリップ２０で補強されている。前記エンドストリップは、ローラブラインド生地２を厚くすることによって、又はワイヤによって形成することができる。しかし、一般に、ローラブラインド生地２の自由縁は、金属又はプラスチックのストリップに接続される。前記エンドストリップ２０は、フック形状に設計された掛け形材３内に保持されている。
【００３２】
ローラブラインドのローラブラインドハウジング１は、通常、ドア枠Ｒに固定される。このため、固定ストリップ１０がローラブラインドハウジング１に取り付けられるか、又はローラブラインドハウジング１に一体的に接続される。取付形材４´は、ドアの対応部分、すなわちここではドア枠Ｒにねじ止めされている。締結ねじには、図では参照符号５が付されている。
【００３３】
掛け形材３は、ローラブラインドを固定するために、取付形材４´に掛けられている。掛けられている状態では、ドア本体Ｆの任意の位置において、ローラブラインドの復元力により、ローラブラインド生地２に張力が掛かる。前記ローラブラインド生地はドア枠Ｒとドア本体Ｆとの間の間隙を常に覆う。
【００３４】
図３乃至８の本発明の実施形態は、同じ基本方針を用いている。しかしながら、図２に示すように取付形材４´が平坦である代わりに、図３及び図５乃至図７の本発明の第１の実施形態では、取付形材４は有角形材として設計されている。それは好ましくは一体に形成され、好ましくは金属又はプラスチックで製造される。それは、好ましくはローラブラインド生地２の全幅にわたって、すなわち、ドア本体Ｆのほぼ全高にわたって延在する。
【００３５】
ローラブラインドハウジング１と掛け形材３とは、図２の実施形態と同様に形成することができる。ローラブラインド生地２は、エンドストリップ２０を掛け形材３に固定した状態で保持される。このため、掛け形材３は、実質的にＵ字形の断面を有する本体を有する。Ｕ字形本体の第１の脚部は、掛けフックを形成する。より長い設計の第２の脚部は、その自由端に溝３１を有する。前記溝は、支持体の形態である。溝３１の開口部は、第２の脚部の、掛けフックとは反対側に位置し、ローラブラインドハウジング１の方に向いている。溝３１は、好ましくは掛け形材３の全長にわたって延在する。掛け形材３は、好ましくは取付形材４及びローラブラインドハウジング１と同じ長さである。少なくとも掛け形材３及び溝３１は、ローラブラインド生地２と同じ長さである。エンドストリップ２０は、掛け形材３の溝３１内に導入される。前記エンドストリップは、その中で回動自在に保持される。
【００３６】
本発明によれば、取付形材４は、図２の実施形態とは異なる設計がなされている。それは、有角形材を有する。図５に明確に示されるように、それは、取付形材４がドア本体に配置される支持脚４０を有し、ネジ５又は他の固定手段、例えば接着によってドア本体Ｆに固定される。支持脚４０がドア本体Ｆの表面に当接する支持面４００は、図６及び図７に示される。
【００３７】
取付形材４は、支持脚４０から接続脚４１に、そしてそこから留め脚４２にとなっている。留め脚４２は支持脚４０から外側に、すなわちドア本体面から離れるように突出している。留め脚４２は、好ましくは支持脚４０に対して少なくともほぼ直角に延びている。接続脚４１は残りの２つの脚４０、４２に対して斜めに延びており、したがって、９０°よりも大きな角度を形成することが好ましい。角度は、好ましくは約１３５°である。
【００３８】
支持脚４０は、例えば、平面平行な表面で形成することができ、又は例えば、ドア本体Ｆと反対側の外側に面する側に、例えば、１つ以上の溝又はスロット４０１のような装飾及び／又は取り付け補助具を有することができる。前記溝又は溝彫りは、好ましくは取付形材４の長手方向に延びる。
【００３９】
取付形材４は、その全長にわたって一定の断面を有するように形成される。それは、好ましくは押出成形された形材である。支持脚４０と接続脚４１とは、好ましくは厚さが同一である。留め脚４２は、好ましくは、より厚く、その自由端に向かって先細になっている。留め脚は、ここでは互いにずれて配置された互いに反対側に段なっている２つの段部によって先細になっている。留め脚４２のテーパ部分は、ローラブラインド生地２の留め手段のための、すなわち掛け形材３のためのフック受け部４３を形成する。
【００４０】
図５から容易に分かるように、掛け形材３は、その第２の脚部が留め脚４２の厚い部分の第１の当たり面４２０に当接している。当たり面４２０は図６に示されている。掛け形材３のフックはフック受け部４３の自由端の周りに係合し、掛け形材３の短い方の第１の脚部は、留め脚４２の薄い伸展部のローラブラインドハウジング１から遠い方を向いた面に当接している。掛け形材３の短い方の脚部の自由端は、ここではフック受け部４３と留め脚４２の厚い部分との間の肩部に当接する。前記肩部は、第２の当たり面４３２を形成する。ローラブラインドハウジング１に面する突起４３０は、フック受け部の自由端に配置される。突起４３０は、好ましくはフック受け部４３の残りの部分と直角をなす。突起４３０は、好ましくは第１の当たり面４２０によって画定される平面に延びる。突起４３０は上述した２つの当たり面４２０、４３２と共に、掛け形材３の揺動を防止する。さらに、掛け形材３は、１つ又は複数のねじ３０によって前記掛け位置に固定することができる。
【００４１】
本発明による取付形材４は、ローラブラインド生地２をドア表面に対して垂直に掛けることを可能にする。一つには、これは掛けることを容易にする。しかし、実質的な利点は、取付形材４が比較的小さなスペースしか必要とせず、したがってドアの既存のハンドルバーＨの隣に配置することもできることである。これは、図３及び図５に明確に示されている。
【００４２】
ハンドルバーＨがドア本体の端部までドア本体の幅全体にわたって延びるといったようにドア本体の端部とハンドルバーＨとの間の空間がさらに制限される場合、又は他の理由でこのような配置が所望される場合、図４及び図８による解決策を選択することができる。取付形材４の支持脚４０には、ハンドルバーＨの端部が嵌め込まれる凹部６が設けられている。凹部６は、接続脚４１まで、又は留め脚４２まで延びることができる。
【００４３】
凹部６は、工場で設けられ得る。しかしながら、それはまた、取付け工によって、例えば、フライス加工又は鋸加工によって、その場で適切な位置に設けられ得る。また、工場で予め定められた破断点として前処理することもできる。
【００４４】
図示されていない実施形態では、取付形材４はハンドルバーＨの上下に配置された２つの部品に分割される。固定ストリップ２０及びローラブラインド生地２は、一体に形成され、したがって、取付形材４を２つの部品に分離するハンドルバーＨの領域をまたいで延在する。
【００４５】
本発明による指挟み防止器具及び本発明による取付形材は、ハンドルバーを備えたドア本体の場合であっても、指挟み防止器具の使用を可能にする。
【符号の説明】
【００４６】
１      ローラブラインドハウジング
１０    固定ストリップ
２      ローラブラインド生地
２０    エンドストリップ
２１    軸
３      留め手段（掛け形材）
３０    ネジ
３１    溝
４      取付形材
４´    取付形材
４０    支持脚
４００  支持面
４０１  スロット
４１    接続脚
４２    留め脚
４２０  第１の当たり面
４３    フック受け部
４３０  突起
４３１  スロット
４３２  第２の当たり面
４３３  肩部
５      ネジ
６      凹部
Ｒ      ドア枠
Ｆ      ドア本体
Ｈ      ハンドルバー
Ｓ      指挟み防止器具
【図１】
2019532202.tif 000003
【図２】
2019532202.tif 000004
【図３】
2019532202.tif 000005
【図４】
2019532202.tif 000006
【図５】
2019532202.tif 000007
【図６】
2019532202.tif 000008
【図７】
2019532202.tif 000009
【図８】
2019532202.tif 000010
【国際調査報告】
2019532202.tif 000011
2019532202.tif 000012
2019532202.tif 000013
2019532202.tif 000014
2019532202.tif 000015
2019532202.tif 000016